(57)【要約】【課題】限られたスペースにおいても足裏・足指等を刺激してマッサージ効果・リラックス効果を得ることができ、特に、使用者の体格や好みに応じて足を置く高さや角度を自由に可変させることができるフットレストを提供する。【解決手段】  多数の断面略半円形状の孔５が配置された２枚の側板２が底板１の両端に互いに向き合うように直立して設けられたベース部３と、前記側板２の任意の孔５に抜き差し可能に挿通させて両側板間に掛け渡すように配設される複数本の断面略半円形状のロッド４とからなり、前記ロッド４の断面積は前記孔５の面積よりも小さく設定されており、前記ロッド４の端部には挿通させたロッド４が孔５から抜け落ちることを防止するための係合部６が設けられ、各ロッド４を任意の孔５に挿通させた後にロッド４を下動させて、各ロッドの端部に設けられた係合部６を側板２の被係合部に係止させることでロッド４を両側板２に保持させる。【選択図】図１
0003118773.tif 000002
【実用新案登録請求の範囲】
【請求項１】
多数の断面略半円形状の孔が配置された２枚の側板が底板の両端に互いに向き合うように直立して設けられたベース部と、前記側板の任意の孔に抜き差し可能に挿通させて両側板間に掛け渡すように配設される複数本の断面略半円形状のロッドとからなり、前記ロッドの断面積は、ロッドが前記孔に対し抜き差し可能な程度に前記孔の面積よりも小さく設定されており、前記ロッドの端部には挿通させたロッドが孔から抜け落ちることを防止するための係合部が設けられたフットレストであって、
各ロッドを任意の孔に挿通させた後に下動させて、ロッドの端部に設けられた係合部を側板の被係合部に係止させてロッドを両側板に保持させることを特徴とするフットレスト。
【請求項２】
係合部がロッドの両端部下面に設けられ、これら係合部が２枚の側板の被係合部としての両外側面または両内側面にそれぞれ係合するように構成された請求項１に記載のフットレスト。
【請求項３】
係合部の内側面または外側面に係合溝または係合突起が形成され、前記側板の外側面または内側面の孔の下方近傍における前記係合溝または係合突起に対応する位置に、前記係合溝または係合突起と係合する係合突起または係合溝が設けられた請求項２に記載のフットレスト。
【考案の詳細な説明】
【技術分野】
【０００１】
本考案は、足裏や足指等を刺激することでマッサージやストレッチを実施して疲労軽減に供する器具に関し、特に、足を載せる高さや角度を使用者の好みに応じて可変させることができるフットレストに関するものである。
【背景技術】
【０００２】
飛行機やバス等を使用した長距離移動の際には体を長時間同じ姿勢に保たなければならないことから、血行が悪くなって足に浮腫みが生じるなど、健康を害する症状が発生することがある。また、デスクワークの際にも長時間同じ姿勢にいると血流が滞って体内での酸素循環率が悪くなり、その結果集中力が低下するなどといった症状が発生することがある。
【０００３】
そこで、血流を良くして疲労を軽減させるために、自らの手を用いたり、半円筒状の突出部を矩形状平板体の表裏両面に設けた携帯型のマッサージ具（特許文献１参照）等を用いたりして脚部等をマッサージすることがある。ところが、飛行機やバス等の座席に着座した状態では特に足元のスペースが限られていることから、十分なマッサージを行うことができず、また、オフィスにおいては仕事を中断してまでマッサージに時間を割くことができない。そこで、マッサージ具を床に置いてそれを踏みつけて、いわゆる「青竹踏み」の要領にて、足裏を刺激して血の巡りを良くする方法が取られている。
【特許文献１】実登第３１１２１６０号公報
【考案の開示】
【考案が解決しようとする課題】
【０００４】
ところが、着座の姿勢において床に置いたマッサージ具を踏みつける際には、各人の体格が異なることから、良好な踏みつけ具合やマッサージ・ストレッチ効果を実現するためには各人の所望の高さや角度にマッサージ具を設置する必要がある。そこで、小型で簡単な構成でありながらも、ツボ押しポインツの高さやそれら相互間の角度設定の自由が利き、かつ、高いマッサージ・ストレッチ効果を得ることができる用具が求められる。
【０００５】
本考案は、上記課題に鑑みて考案されたものであって、その目的とするところは、使用者の体格や好みに応じてツボ押しポインツの高さやそれら相互間の角度を自由に可変させて高いマッサージ・ストレッチ効果を得ることができるうえ、限られたスペースにおいて使用することに適したフットレストを提供することにある。
【課題を解決するための手段】
【０００６】
上記目的を達成するための本考案のフットレストは、多数の断面略半円形状の孔が配置された２枚の側板が底板の両端に互いに向き合うように直立して設けられたベース部と、前記側板の任意の孔に抜き差し可能に挿通させて両側板間に掛け渡すように配設される複数本の断面略半円形状のロッドとからなり、前記ロッドの断面積は、ロッドが前記孔に対し抜き差し可能な程度に前記孔の面積よりも小さく設定されており、前記ロッドの端部には挿通させたロッドが孔から抜け落ちることを防止するための係合部が設けられており、各ロッドを任意の孔に挿通させた後に下動させて、ロッドの端部に設けられた係合部を側板の被係合部に係止させてロッドを両側板に保持させることを特徴とするものである。
【０００７】
この構成のフットレストを用いれば、各ロッドについて側板の孔に挿通させる位置を使用者が自由に選択することができるので、使用者の体格や好みに応じた高さや角度のツボ押しポインツからなるツボ押し用傾斜面を形成することができる。また、ロッドはその端部に設けられた係合部によって両側板間に保持されることから、使用者が足を前後左右に大きく動かしたとしてもロッドが孔から抜け落ちることがない。さらに、ロッドおよび孔を断面略半円形状に形成しているので、ベース部の側板に高密度に多数の孔を配することができ、それだけロッドの配設位置の選択度が高まることにより、ツボ押しポインツの高さやツボ押しポインツ相互間の角度の設定自由度を高めることができてマッサージ効果を高めることができる。
【０００８】
また、前記係合部がロッドの両端部下面に設けられ、これら係合部が２枚の側板の被係合部としての両外側面または両内側面にそれぞれ係合するように構成し、さらには、前記係合部の内側面または外側面に係合溝または係合突起を形成し、前記側板の外側面または内側面の孔の下方近傍における前記係合溝または係合突起に対応する位置に、前記係合溝または係合突起と係合する係合突起または係合溝を設けると、簡単な構造でありながら、強固にロッドが固定されることから、高い安定性を実現することができる。
【０００９】
また、本考案のフットレストを立った姿勢の状態で使用すると、爪先を踵よりも高く上げた状態とすることができる。このように使用すると、ふくらはぎの筋肉やすじを伸ばして腰痛の軽減や予防を図ることができ、また、毎日の短時間の使用にて筋肉やすじを柔らかくして丈夫な体を作ることができる。更には、本考案のフットレストを枕として使用することもでき、この場合においても、ロッドの挿通位置を自由に設定して使用者の好みの高さや角度のツボ押し用傾斜面を形成することができることから、頭部や首部のマッサージに供することができる。この時、足に使用する時と同じく、断面略半円形状のロッドの円弧面が被マッサージ部に接触することからツボ押しの効果が得られる。
【考案の効果】
【００１０】
本考案によれば、小型であることから限られたスペースにおいて使用することに適しており、かつ簡便な構成でありながらツボ押しポインツの高さやそれら相互間の角度設定の自由度が高く、また安定性の高いフットレストを実現することができる。
【考案を実施するための最良の形態】
【００１１】
以下、本考案について、図１〜図７を用いて説明する。
【００１２】
図１に示すとおり、本考案のフットレスト１０は、底板１の両端に側板２が直立して固着された合成樹脂製、木製、または金属製のベース部３と、この両側板２の間に渡って抜き差し可能に配設される複数本の合成樹脂製、木製、または金属製のロッド４から構成される。両側板２には、多数の略半円形状の孔５が規則的に設けられている。この実施の形態では、１枚の側板２に２３個の孔５が設けられており、両端２列と中央の１列には縦向きに５つの孔５がそれぞれ設けられており、それらに挟まれた他の２列には縦向きに４つの孔５がそれぞれ設けられている。孔５の配置において重要な点は、互いに隣接する列にある孔５同士が真横に並び合うことはなく、千鳥状に配置されていることにある。本実施形態の前記孔５の断面形状は、具体的には図２に示すように、半径Ｒの半円部と、この半円部の下方に位置する高さＨ、幅２Ｒの矩形部とを有する形状となっている。前記高さＨは、前記半径Ｒに比較して小である。
【００１３】
各ロッド４は、図１、図３に示すように、前記両側板２の外面間の距離Ｎよりも長い全長Ｍを有し、両端部の下面のそれぞれに係合部６を突設している。この係合部６の外側面はロッド４の本体の端面に面一に形成され、内側面６ａは外側面に平行に垂下している。係合部６の内外側両面間の距離Ｍ2は、必要最小限に設定され、両係合部６の内側面６ａ間の距離Ｍ1は、前記両側板２の外面間の距離Ｎと同一または僅かに大に設定されている。また、係合部６のロッド本体からの垂下距離ｈは、必要最小限に設定されており、前記孔５の矩形部高さＨよりも小となっている。また、ロッド４は、ロッド４が前記孔５に対し抜き差し可能な程度に前記孔５の面積よりも小さな断面積を有する断面略半円形状に形成されている。本実施の形態のロッド４は、その本体部において図３に示すように、前記孔５の半径Ｒよりも僅かに小の半径ｒを有する半円形断面を有している。ロッド４の半径ｒは、ロッド４を前記孔５に保持させたときに、できるだけ左右方向の動きが拘束されるようにする一方、ロッド４の前記孔５に対する抜き差しが円滑に行われるようにするという観点から適宜値を定めればよい。
【００１４】
ロッド４を側板２に固定状態に保持するには、図４の２点鎖線で示すように、まず、ロッド４を矢印Ａの向きに移動させて孔５に挿入する。次に、ロッド４を矢印Ｂの向きに下動させて、図４の実線で示すように係合部６の内側面６ａを側板２の外側面（被係合部）に係止する状態とする。このようにすると、ロッド４を、その端部下面の係合部６にて両側板２を跨ぐように配設することができることから、ロッド４は前後左右動が拘束された状態で安定して側板２に取り付けられる。ロッド４を孔５から抜き取るには、取り付け手順と逆の手順にて行えばよい。
【００１５】
図１及び図２に示す例では、側板２における最左翼の列を第１列、最右翼の列を第５列とした場合、第１列においては最上段の孔５、第２列においては上から２番目の孔５、第３列においては上から３番目の孔５、第５列にあっては最下段の孔５にロッド４が取り付けられており、第４列においては何れの孔５にもロッド４が取り付けられていない状態となっている。このように、使用者の体格や好みに応じて、孔５に挿すロッド４の位置を自由に選択することができる。なお、図示する例では４本のロッド４を用いているが、使用するロッドの本数は使用者が自由に選択することができる。また、孔５の数と配列パターンも図示する例のものに限らず、自由に選択することができる。
【００１６】
複数のロッド４を所望の孔５に挿通させて複数本のロッド４による使用者の足Ｑに対するツボ押し用傾斜面を形成するにあたり、側板２に設けられた孔５は前述のとおり千鳥状に配置されていることから、格子状に配置されたものに比べて、よりなめらかなツボ押し用傾斜面を形成することができる。また、単に平板を床面に対して角度を持たせて傾斜させただけのフットレストに比べて、所望の形状を有するロッド傾斜面を好みの高さや角度にて形成することができることから、より高いマッサージ・リラックス効果を得ることができる。
【００１７】
また、孔５の形状が略半円形状であることから、円形状のものに比して小さなスペースに配列させることができる。さらに、円形状のものに比べて互いの孔５が密に配列されることから、よりなめらかで曲線的なツボ押し用傾斜面を形成することができる。
【００１８】
また、ロッド４は断面略半円形状であることから、断面円形状のものに比して高い安定性を備える。また、ロッド４の両端部の下面に係合部６が設けられていることから、単にバーを穴に挿し込む様式のものに比して、高い安定性を得ることができる。
【００１９】
なお、図５に示すように、上記構成のロッド４の両係合部６の内側面に係合溝部７を設け、上記構成の両側板２の各孔５の下部近傍に長円形状の係合突起８を設けた構成とすると、孔５に挿入したロッド４を下動させて側板２に取り付ける際に、側板２の係合突起８と係合部６の係合溝部７とがかみ合うことから、更に高い安定性を得ることができる。なお、係合突起８の形状は長円形状に限らず円形とすることも可能であり、また、その数も１つに限らず、２つ以上設けることも可能である。さらに、前記係合溝部と前記係合突起とを逆の関係、すなわち前者を側板２に、後者を係合部６に設けることも可能である。
【００２０】
図６は、本考案の他の実施形態を示している。この実施形態では、ロッド４の両端部の端面より若干奥側の位置に、側板２の内側面（被係合部）に係合する係合部６を設けているが、他の構成は上述の実施形態と同様である。なお、図６（ｂ）に２点鎖線Ｐで示すように両係合部６を連続するように形成してもよい。
【００２１】
図７は、本考案の更に別の実施形態を示している。この実施形態では、ロッド４の両端部の下面に突ピン状の係合部６を設け、これを側板２の孔５の底面に設けた係止穴（被係合部）２１に落とし込むことによって、ロッド４が前後左右動を拘束されて両側板２に保持されるように構成している。他の構成は、上述の実施形態と同様に構成することができるが、図７（ａ）に示すように、ロッド４の断面形状を半径ｒの半円形とし、孔５の形状を半径Ｒ（Ｒ＞ｒ）の半円形としてもよい。
【００２２】
本考案のフットレスト１０は、着座の姿勢において使用する場合に限らず、立った姿勢において、ふくらはぎの筋肉やすじを伸ばすことに使用することもできる。ふくらはぎの筋肉やすじを伸ばすことにより、腰痛の軽減や予防に効果を得られ、また、毎日短時間の使用によりふくらはぎを柔らかくするストレッチ効果が得られるので、丈夫な体を作ることにも適している。また、本考案のフットレスト１０を、枕のように使用して頭部や首部のマッサージに供することも可能である。その際、前述のとおり、孔５に取り付けるロッド４の位置は使用者が自由に選択できることから、頭部の形状に沿ったツボ押し用傾斜面を複数のロッド４で形成することができる。また、実開平５−２９４６９号公報には多数の円形の孔が設けられた側板間に自由に位置を決めて多数の断面円形状のロッドを挿入することで所望の高さ・形状を得ることができる枕が開示されているが、本考案におけるロッド４は断面略半円形状であり、かつ、その端部には保持用の係合部６が設けられているので、ロッド４が抜け落ちることがなく、高い安定性が得られ、しかも前記ツボ押し用傾斜面形成の自由度が高くなり、安心して頭部を載せることができるマッサージ・リラックス効果の高い枕として使用できる。
【００２３】
なお、足幅が広く１つのフットレストに両足を載せることができない人は、本考案のフットレスト２つを横並びに繋げて使用することで、両足を指圧・マッサージすることができる。また、本考案のフットレスト２つを縦並びに繋げて使用すれば、奥行きが深いツボ押し用傾斜面を形成することができることから、足の大きな人でも指先から踵に至る足裏全体を載せることができる。更には、仰向けの姿勢になって、ふくらはぎや大腿部裏側などの部位を本考案のフットレストに載せれば、それら部位の筋肉を刺激して血行を良くすることができるので、下肢の疲労や筋肉のはりなどを軽減させることもできる。なお、上記に示した例に限らず、上記各実施形態に他の実施形態において示された構成を自由に組み合わせることによって、多種多様な構成のフットレストを構成することができ、これらも本考案の趣旨に反しない限り、本考案の範囲に属する。
【図面の簡単な説明】
【００２４】
【図１】本考案のフットレストの一実施形態の構成を示す斜視図である。
【図２】上記フットレストの使用例を示す概略図である。
【図３】前記フットレストに用いるロッドの形状を示し、（ａ）は正面図、（ｂ）は側面図である。
【図４】前記ロッドを孔に挿通及び係合する手順を示す図である。
【図５】ロッドと孔の別の係合方法を示し、（ａ）は正面図、（ｂ）は側面図である。
【図６】本考案のフットレストの他の実施形態の構成を示し、（ａ）は正面図、（ｂ）は側面図である。
【図７】本考案のフットレストの更に別の実施形態の構成を示し、（ａ）は正面図、（ｂ）は側面図である。
【符号の説明】
【００２５】
１    底板
２    側板
３    ベース部
４    ロッド
５    孔
６    係合部
７    係合溝
８    係合突起
１０        フットレスト
【図１】
0003118773.tif 000003
【図２】
0003118773.tif 000004
【図３】
0003118773.tif 000005
【図４】
0003118773.tif 000006
【図５】
0003118773.tif 000007
【図６】
0003118773.tif 000008
【図７】
0003118773.tif 000009